(57)【要約】【課題】便器装置に設けた受光部が赤外線信号を受光しやすくできるようにしたリモコン装置およびそのリモコン装置の設置構造を提供する。【解決手段】リモコン装置１は、操作部１１と、便器装置２０に設けた受光部２１に対して赤外線信号を発信する発信部１５とを有しており、発信部１５は、操作部１１の筐体から分離して設けられている。【選択図】図１
2015148080.tif 000002
【特許請求の範囲】
【請求項１】
操作部と、便器装置に設けた受光部に対して赤外線信号を発信する発信部とを有したリモコン装置において、
前記発信部は、前記操作部の筐体から分離して設けられたことを特徴とするリモコン装置。
【請求項２】
請求項１において、
前記操作部は、リモコン制御部を内蔵したリモコン本体に設けられている、リモコン装置。
【請求項３】
請求項２において、
前記発信部と前記リモコン本体とは有線で接続されている、リモコン装置。
【請求項４】
請求項１〜３のいずれか１項に記載されたリモコン装置の発信部を、便器装置に設けた受光部との間に障害物を設けない状態で設置したことを特徴とするリモコン装置の設置構造。
【発明の詳細な説明】
【技術分野】
【０００１】
本発明は、赤外線信号を発信して便器装置を動作させるようにしたリモコン装置およびそのリモコン装置の設置構造に関する。
【背景技術】
【０００２】
この種のリモコン装置としては、発信した赤外線信号が受光部で確実に受信できるように、赤外線信号を壁面や天井面に反射させて便器装置に受光させるようにしたものが提案、実施されている（たとえば、特許文献１参照）。
【０００３】
このような反射方式を採用すれば、リモコン装置（発信部）と受光部との設置態様の自由度を高めることができる。特に、便座に着座した利用者にとって操作しやすい側壁面に設置されたリモコン装置に対して、そのリモコン装置から距離の離れた便器装置の適所に受光部を設けることができる。
【０００４】
なお、特許文献１のものは天井での反射を利用したものであり、発信部はリモコン装置の上部に上向きに設けられ、受光部はスペースが十分にある便器装置の後部上面に設けられている。
【先行技術文献】
【特許文献】
【０００５】
【特許文献１】特開２００９−２５６９１９号公報
【発明の概要】
【発明が解決しようとする課題】
【０００６】
しかしながら、トイレ室内の壁面や天井面が黒色あるいは黒っぽい色に施工されている場合、赤外線が反射されずに吸収されてしまい、便器装置の受光部が赤外線信号を受信できなくなるおそれがある。また、反射方式のものでは、後付けした棚などによって赤外線信号が遮断されるようになるおそれもある。
【０００７】
本発明は、このような事情を考慮して提案されたもので、その目的は、便器装置に設けた受光部が赤外線信号を受光しやすくできるようにしたリモコン装置およびそのリモコン装置の設置構造を提供することにある。
【課題を解決するための手段】
【０００８】
上記目的を達成するために、本発明のリモコン装置は、操作部と、便器装置に設けた受光部に対して赤外線信号を発信する発信部とを有したリモコン装置において、発信部は、操作部の筐体から分離して設けられたことを特徴とする。
【０００９】
本発明においては、操作部が、リモコン制御部を内蔵したリモコン本体に設けられたものとしてもよい。
【００１０】
本発明においては、発信部とリモコン本体とが有線で接続されたものとしてもよい。
【００１１】
また、本発明のリモコン装置の設置構造は、請求項１〜３のいずれか１項に記載されたリモコン装置の発信部を、便器装置に設けた受光部との間に障害物を設けない状態で設置した構成としてもよい。
【発明の効果】
【００１２】
本発明のリモコン装置またはリモコン装置の設置構造によれば、便器装置に設けた受光部が赤外線信号を受光しやすくすることができる。
【図面の簡単な説明】
【００１３】
【図１】本発明の一実施形態に係るリモコン装置の設置態様の一例を示す斜視図である。
【図２】同リモコン装置の基本構成およびこのリモコン装置の操作により動作する便器装置の基本構成を示すブロック図である。
【発明を実施するための形態】
【００１４】
以下に、本発明の実施の形態について、添付図面を参照して説明する。まず、発明の概略について説明する。
【００１５】
図１、図２に示すように、本実施形態に係るリモコン装置１は、操作部１１と、便器装置２０に設けた受光部２１に対して赤外線信号を発信する発信部１５とを有した装置である。本リモコン装置１は、発信部１５が操作部１１の筐体から分離して設けられた構成となっている。
【００１６】
以下、本リモコン装置１の詳細について説明する。
【００１７】
本リモコン装置１は、便器装置２０の各部を動作させるためにトイレ室内に設置された遠隔操作用の操作装置である。本リモコン装置１は、操作部１１を有したリモコン本体２と、リモコン本体２とは別体に形成され、発信部１５を内蔵したリモコン附属体３とを有しており、それらは電気線１８（有線）で接続されている。リモコン本体２およびリモコン附属体３はいずれも、内部に電子機器や基板等を収容した筐体（外郭部）である。
【００１８】
本実施形態の例では、便器装置２０として、図１に例示したようなタンクレス型の洋風便器装置が用いられている。この便器装置２０は、周壁部２６に囲まれたボウル部（不図示）、便座（不図示）、便蓋２５などを備え、後部には、リモコン装置１の発信部１５が発信する赤外線信号を受信する受光素子よりなる受光部２１、２１を備えている。また、便器装置２０は、内部の基本構成として、図２に示すように、受光部２１を有するほか、制御部２２、給排水機構２３およびおしり洗浄機構２４などを備えている。
【００１９】
本リモコン装置１は、図２に示すように、基本構成として、各種のスイッチを含んで構成された操作部１１、ＬＥＤ表示窓などを含んで構成された表示部１２、ＣＰＵ等で構成されたリモコン制御部１３、電源部１４および発信部１５を備えている。電源部１４は電池または交流電源で構成されていればよい。
【００２０】
リモコン装置１に含まれるこれらの各部のうち、操作部１１、表示部１２、リモコン制御部１３および電源部１４はリモコン本体２に備えられ、発信部１５がリモコン附属体３に内装されている。
【００２１】
リモコン本体２は、図１に示すように、薄い直方体形状の箱体に形成されており、便器装置２０が設置された位置よりもやや前方の側壁面５に取り付けてある。リモコン本体２は、利用者が小用で立った状態でも、便座に座った状態でも操作しやすい高さ位置に設置されている。
【００２２】
このリモコン本体２は、合成樹脂で形成され、外表面等には操作部１１に含まれる押下式のスイッチおよび表示窓が加工、形成されている。押下式のスイッチとしては、便器装置２０に給排水するための大小別の洗浄スイッチ１１ａや、おしり洗浄スイッチ、おしり洗浄強度スイッチ、ノズル位置調整スイッチなどの各種スイッチ１１ｂ、１１ｂが設けられている。また、本図例のリモコン本体２は、フロントパネル２ａを開放して操作できるようにした種々の設定スイッチ（不図示）も備えている。
【００２３】
リモコン制御部１３は、ＣＰＵ等で構成され、ＣＰＵや電子機器が実装された基板等がリモコン本体２に内装されている。リモコン制御部１３は、少なくとも、操作部１１の操作にもとづいて、表示部１２への表示動作および発信部１５の発信動作を制御する構成となっている。
【００２４】
一方、発信部１５はリモコン附属体３に内装されている。発信部１５はリモコン制御部１３の指令にもとづいて赤外線信号を発信する構成となっており、リモコン附属体３には赤外線信号の発信窓３ａが形成されている。指令（赤外線信号）の種別としては、洗浄スイッチ１１ａの操作にもとづく給排水指令や、おしり洗浄スイッチの操作にもとづくおしり洗浄指令など種々のものがある。
【００２５】
リモコン本体２とリモコン附属体３を接続する電気線１８は、リモコン本体２側から発信部１５に対し電力および制御信号を送出するための配線である。
【００２６】
本図例のリモコン附属体３は、図１に示すように直方体等の形状とされ、リモコン本体２を設置した側壁面５と同一壁面の入隅近傍に設置されている。リモコン附属体３は、発信部１５からの赤外線信号の発信方向が上下に変動できる構造となっている。図例では、便器装置２０の上端よりもやや高い位置に設置され、その発信窓３ａは便器装置２０の後方の上面に設けた、発信窓３ａに近いほう（図１中の左側）の受光部２１に向けられている。リモコン附属体３の発信窓３ａと、その受光部２１との間には障害物はなく、受光部２１は発信部１５が発信する信号を反射によらず直接受光、受信できるようになっている。なお、発信窓３ａから遠いほう（図１中の右側）の受光部２１も、リモコン附属体３に比較的近い距離にあり、しかも発信部１５との間には障害物がないため、発信部１５からの赤外線信号を直接受信することができる。
【００２７】
以上のように、本実施形態のリモコン装置１は、操作部１１を有したリモコン本体２と、発信部１５とが分離されているため、便器装置２０側で十分な受信性能が得られるように、発信部１５を自由な位置に設置することができる。たとえば本図例のように、便器装置２０に設けた受光部２１の近くの、人体などで赤外線信号が遮断されない位置に発信部１５を配置することができる。このように、リモコン装置１は上述したような構成となっているため、操作によって発信される赤外線信号を受光部２１が受光しやすくすることができる。
【００２８】
特に本実施形態では、受光部２１は発信部１５からの赤外線を直接受光できるようになっているため、受光ミスは発生しにくい。また、発信部１５はリモコン本体２に接続されているかぎりトイレ室のどこにでも設置できるようになっているから、受光部２１を便器装置２０の種々の部位に設けるようにしてもよい。受光部２１を便器装置２０の上面側の外観上目立つ部位に設けずに目立たない部位に設けて、上面をすっきりとした外観にすることもできる。
【００２９】
また、リモコン本体２に操作部１１が設けられているため、従来の一般的なトイレ用のリモコン装置と同様の設置位置に操作部１１を配置することができ、操作のしやすさを従来と変わらないようにすることができる。
【００３０】
さらに、リモコン本体２と発信部１５とは有線（電気線１８）で接続されているので、発信部１５はリモコン本体２側に設けた電源部１４からの電力の供給を受けることができる。そのため、リモコン附属体３側に電源部を設ける必要がなく、リモコン附属体３を小さく形成することができる。なお、リモコン本体２、発信部１５間も無線で接続するようにしてもよい。
【００３１】
また、受光部２１は、いずれの方向からの信号も受光できるように、図例の便器装置２０のように両側端に備えることが望ましい。便器装置２０を図１のように、いずれの受光部２１、２１も発信部１５の近距離の位置に障害物がない状態に設置すれば、いずれの受光部２１、２１でも赤外線信号を受信できるようになるので、受光ミスを防ぐことができる。特に、両受光部２１、２１が後壁面に平行となるように便器装置２０が設置されれば、発信部１５を平面視で両受光部２１、２１の延長上に設けることで、両受光部２１、２１はともに、発信部１５からの赤外線信号を近距離で受信することができる。
【００３２】
また、発信部１５をリモコン本体２から分離させた構成によれば、発信部１５と受光部２１との距離をより短くできるように発信部１５を設置できるので、受光部２１を便器装置２０の後方の１箇所のみに設けるようにしてもよい。たとえば、発信部１５をトイレ室の後壁面に設け、受光部２１を便器装置２０の背面に設けて、受光部２１を発信部１５に近接させた（たとえば対向させた）状態となるようにしてもよい。さらに、発信部１５と受光部２１とは、側壁面５と便器装置２０の周壁部２６との間で近接、対向させるようにしてもよい。
【００３３】
このように、発信部１５と受光部２１とを相互に近づけて配設することができるため、施工後にそれらの間に障害物が後付けされる可能性も低く、施工後の改装などによっても受信障害が引き起こされる可能性は低い。本実施形態の例のように受光部２１、２１を複数設けた便器装置２０の場合、発信部１５、２つの受光部２１、２１を平面視で一直線に並ぶような設置構造とすることができるから、便器装置２０での受信性能を高めることができる。また、本リモコン装置１は天井などでの赤外線反射を利用しない構成であるため、トイレ室の壁面を種々の色、種々の材料で形成でき、室内のデザイン性の自由度を高められる。
【００３４】
また、発信部１５のみがリモコン本体２と分離して設置されていればよいため、トイレ室の壁面に発信窓を開設し、その発信窓から赤外線信号が送出されるように、発信部１５を埋設した美感にすぐれた構成にしてもよい。発信部１５を上下左右に向き調整ができるように埋設すれば、設置の自由度は高まる。また、電気線１８も埋設すれば美感をさらに向上させることができる。
【００３５】
さらに、本リモコン装置１によれば、リモコン本体２に発信部１５を設けなくてもよいからリモコン本体２を小さく形成でき、側壁面５をすっきりとした美感にすることができる。また、受信性能を気にせずに、リモコン本体２を操作がしやすい自由な位置に設置することができる。
【００３６】
また、リモコン本体２をより小さくコンパクトにするために、使用中には操作しなくてもよい設定スイッチやリモコン制御部１３、電源部１４などをリモコン附属体３に内装させた構成としてもよい。ようするに、洗浄スイッチ１１ａなどの操作部１１と、発信部１５とが分離された構成であれば、どのような分離構成であってもよい。
【００３７】
本実施形態の図例では、便器装置２０としてタンクレスのものを示したが、タンク付きのものでもよく、そのタンクの側面や背面に受光部２１を設けるようにしてもよい。
【符号の説明】
【００３８】
１          リモコン装置
２          リモコン本体
３          リモコン附属体
３ａ        発信窓
１１        操作部
１１ａ      洗浄スイッチ
１２        表示部
１３        リモコン制御部
１４        電源部
１５        発信部
１８        電気線
２０        便器装置
２１        受光部
【図１】
2015148080.tif 000003
【図２】
2015148080.tif 000004